(57)【特許請求の範囲】
【請求項１】
デジタル放送受信機に組込まれる電源装置において、
前記デジタル放送受信機に必要な電力を供給する電源回路と、
前記電源回路への電力供給のＯＮ／ＯＦＦを行う第１のスイッチ手段と、
ＳＩ蓄積期間中に次のＳＩ蓄積期間までに前記デジタル放送受信機の待機時に必要な電力を蓄積する蓄電池と、
前記電源回路から前記蓄電池への電力供給のＯＮ／ＯＦＦを行う第２のスイッチ手段と、
前記電源回路と前記蓄電池のどちらから該待機時制御部に電力が供給されるかを切り替える第３のスイッチ手段と、
前記第１のスイッチ手段と、前記第２のスイッチ手段及び前記第３のスイッチ手段を制御する待機時制御部と、
を備え、
前記待機時制御部は、
前記デジタル放送受信機の待機時には、前記第１のスイッチ手段及び前記第２のスイッチ手段をＯＦＦし且つ前記蓄電池から前記待機時制御部に電力が供給される様に前記第３のスイッチ手段を切替え、
前記ＳＩ蓄積時には、前記第１のスイッチ手段及び前記第２のスイッチ手段をＯＮし且つ前記電源回路から前記待機時制御部に電力が供給される様に前記第３のスイッチ手段を切替る
ことを特徴とするデジタル放送受信機組込用電源装置。
【請求項２】
前記待機時制御部は、
リモートコントロール信号を受信すると、前記第１のスイッチ手段及び前記第２のスイッチ手段をＯＮし且つ前記電源回路から前記待機時制御部に電力が供給される様に前記第３のスイッチ手段を切替る
ことを特徴とする請求項１記載のデジタル放送受信機組込用電源装置。
【発明の詳細な説明】
【技術分野】
【０００１】
この発明は、電源装置に係り、特にリモートコントロール等による待機時に、その待機状態を維持するための電力供給機能を備えたデジタル放送受信機組込用電源装置に関するものである。
【背景技術】
【０００２】
従来、待機状態を維持するための電力供給機能を備えた電源装置では、特許文献１に記載されたものが知られている。図２は、前記特許文献１に記載された従来の電源装置を示すものである。図２において、待機状態時には、スイッチ３及びスイッチ１４をオフすることにより直流電力を遮断して電源回路４及び待機電源１５を停止し、蓄電池６からの直流電圧をスイッチ８を通して待機時にも動作する回路ブロック１２に供給して動作状態とする。これにより、蓄電池６からの直流電圧により待機時にも動作する回路ブロック１２は待機状態にされる。また、待機状態が長期間続いたときには、蓄電池６が放電して待機時にも動作する回路ブロック１２の検出回路１６により設定されたある値の電圧以下であると検出され、スイッチ１４をオンすることにより直流電力を待機電源１５に供給し、更にスイッチ５を通して蓄電池６に供給して充電すると共に、待機電源１５からの直流電力により待機時にも動作する回路ブロック１２を動作状態に維持できる。
【特許文献１】特開平１１−２５２８２２号公報（第５頁、第２図）
【発明の開示】
【発明が解決しようとする課題】
【０００３】
しかしながら上記の従来の構成では、長期間のリモコン待機状態を維持するために待機回路に電力を供給している蓄電池６が設定電圧以下になったときは、待機電源１５から待機時にも動作する回路ブロック１２に電力を供給すると共に蓄電池６を充電するため、待機電源１５、蓄電池６の電圧の検出手段１６等が必要であり、回路が複雑になるという問題点を有していた。
【０００４】
本発明は上記従来の問題点を解決するもので、待機電源、蓄電池の電圧の検出手段等が不要な電源装置を提供することを目的とする。
【課題を解決するための手段】
【０００５】
この目的を達成するために本発明の電源装置は、リモートコントロール信号により、デジタル放送受信機としての動作又は停止を行う電力を供給又は遮断する第１のスイッチ手段と、前記第１のスイッチ手段を通して電力が供給された時にデジタル放送受信機の各回路ブロックが必要とする電圧の電力を供給する電源回路と、ＡＲＩＢ規格に準拠して映像、音声、データ等を出力する等の動作を行うデジタル放送受信回路と、前記電源回路に電力が供給されている時は蓄電池を充電するために導通し、前記電源回路に電力が供給されていない時には遮断する第２のスイッチ手段と、待機時にも動作する回路ブロックが前記電源回路と前記蓄電池のどちらから電力が供給されるかを切り換える第３のスイッチ手段と、前記リモートコントロール信号を受信する手段と、前記リモートコントロール信号を解析し、前記第１のスイッチ手段、前記第２のスイッチ手段、前記第３のスイッチ手段を制御する、又は、前記デジタル放送受信回路との通信によりＳＩ蓄積のために何時間後に起動すべきかをタイマー回路を用いて判断し、前記第１のスイッチ手段、前記第２のスイッチ手段、前記第３のスイッチ手段を制御する待機時制御用マイクロコンピュータと、デジタル放送受信機がＡＲＩＢ規格に準拠して夜中のＳＩ蓄積時に起動することを利用して、その起動時間中に次の日のＳＩ蓄積時間までの１日分の待機時の電力を蓄える前記蓄電池を備えた構成を有している。
【０００６】
この構成によって、待機電源、蓄電池の電圧の検出手段等が不要な電源装置が得られる。
【発明の効果】
【０００７】
以上のように本発明は、待機電源、蓄電池の電圧の検出手段等が不要な電源装置が得られるという優れた効果が得られる。
【発明を実施するための最良の形態】
【０００８】
本発明の請求項１に記載の発明は、リモートコントロール信号により、デジタル放送受信機としての動作又は停止を行う電力を供給又は遮断する第１のスイッチ手段と、前記第１のスイッチ手段を通して電力が供給された時にデジタル放送受信機の各回路ブロックが必要とする電圧の電力を供給する電源回路と、ＡＲＩＢ規格に準拠して映像、音声、データ等を出力する等の動作を行うデジタル放送受信回路と、前記電源回路に電力が供給されている時は蓄電池を充電するために導通し、前記電源回路に電力が供給されていない時には遮断する第２のスイッチ手段と、待機時にも動作する回路ブロックが前記電源回路と前記蓄電池のどちらから電力が供給されるかを切り換える第３のスイッチ手段と、前記リモートコントロール信号を受信する手段と、前記リモートコントロール信号を解析し、前記第１のスイッチ手段、前記第２のスイッチ手段、前記第３のスイッチ手段を制御する、又は、前記デジタル放送受信回路との通信によりＳＩ蓄積のために何時間後に起動すべきかをタイマー回路を用いて判断し、前記第１のスイッチ手段、前記第２のスイッチ手段、前記第３のスイッチ手段を制御する待機時制御用マイクロコンピュータと、デジタル放送受信機がＡＲＩＢ規格に準拠して夜中のＳＩ蓄積時に起動することを利用して、その起動時間中に次の日のＳＩ蓄積時間までの１日分の待機時の電力を蓄える前記蓄電池を備えたことを特徴としたものであり、これにより、待機電源、蓄電池の電圧の検出手段等が不要な電源装置ができるという作用を有する。
【０００９】
以下、本発明の実施の形態について、図１を用いて説明する。
【００１０】
（実施の形態１）
図１は本発明の実施の形態１における電源装置の構成を示すブロック図であり、同図において従来と同一の構成要素には同一番号を付与し説明を省略する。図１において、１は日本国内にあっては５０Ｈｚ又は６０ＨｚのＡＣ１００Ｖ商用電源、２はデジタル放送受信機内の整流回路、３は後述する電源回路４に電力を供給又は遮断する第１のスイッチ手段、４はデジタル放送受信機の各回路ブロックが必要とする各種電圧の電力を供給する電源回路、５は電源回路４に電力が供給されている時は後述する蓄電池６を充電するために導通し電源回路４に電力が供給されていない時には遮断する第２のスイッチ手段、６はデジタル放送受信機の期待される寿命末期においても１日分の待機時の電力を蓄えることの出来る蓄電池、７はＡＲＩＢ規格に準拠して映像、音声、データ等を出力する等の動作を行うデジタル放送受信回路、１２は待機時にも動作する回路ブロック、８は回路ブロック１２が電源回路４と蓄電池６のどちらから電力が供給されるかを切り換える第３のスイッチ手段、９は経過時間を計測するタイマー回路、１１はリモートコントロール信号を受信する手段で、赤外線を用いたリモートコントロール(以下リモコンと略す)の場合はリモコン受光部、１０は前記リモコン信号を解析し、第１のスイッチ手段３、第２のスイッチ手段５、第３のスイッチ手段８を制御する、又は、デジタル放送受信回路７との通信によりＳＩ蓄積のために何時間後に起動すべきかをタイマー回路９を用いて判断し、第１のスイッチ手段３、第２のスイッチ手段５、第３のスイッチ手段８を制御する待機時制御用マイクロコンピュータ、１３は第４のスイッチ手段である。
【００１１】
以上のように構成されたデジタル放送受信機組込用電源装置について、その動作を説明する。まず、待機時は、待機時にも動作する回路ブロック１２内のタイマー回路９、待機時制御用マイクロコンピュータ１０、リモコン受光部１１は、蓄電池６で動作しており、第１のスイッチ手段３、第２のスイッチ手段５は遮断状態、第３のスイッチ手段８は蓄電池側が導通している。この状態でリモコン信号を受光すると、リモコン受光部１１で光電変換された信号は待機時制御用マイクロコンピュータ１０に伝えられて解析され、それが動作状態を示す信号であれば、第１のスイッチ手段３、第２のスイッチ手段５を導通状態、第３のスイッチ手段８は電源回路４側を導通となるよう制御し、デジタル放送受信回路７はＡＲＩＢ規格に準拠して映像、音声、データ等を出力する。デジタル放送受信回路７は、デジタル放送の受信中に次回のＳＩ蓄積が何時間後にあるかの情報を受信し、その情報は待機時制御用マイクロコンピュータ１０に伝えられる。ＳＩ蓄積は夜中に行われるため通常デジタル放送受信機は待機状態であり、第１のスイッチ手段３と第２のスイッチ手段５は遮断状態、第３のスイッチ手段８は蓄電池６側が導通している。待機時制御用マイクロコンピュータ１０は、タイマー回路９を使用して何時間後に動作状態にするかを計測しており、ＳＩ蓄積のための動作状態とする時間になると待機時制御用マイクロコンピュータ１０は、第１のスイッチ手段３と第２のスイッチ手段５を導通状態、第３のスイッチ手段８は電源回路４側を導通となるよう制御する。従って、ＳＩ蓄積時には、蓄電池６を充電するための第２のスイッチ手段５が導通となるため、蓄電池６は充電される。この蓄電池６は期待される寿命末期にあっても次の日のＳＩ蓄積までの１日分の待機時の電力を蓄えるよう設計されており、長期間動作状態とされない期間があっても、ＳＩ蓄積時に充電することで待機状態を維持できる。また、ＳＩ蓄積時以外にも動作状態とされると蓄積時に充電されるため、ＳＩ蓄積時に動作状態であって良い。
【００１２】
以上の説明では、蓄電池６が充電された状態であったが、商用電源１から長期間遮断され蓄電池６が放電された状態の時、第１のスイッチ手段３を導通状態にできなくなるので、第４のスイッチ手段１３を導通することにより電源回路４を動作させることが出来るようにしてある。
【００１３】
以上のように本実施の形態１によれば、夜中のＳＩ蓄積期間中に、次の日のＳＩ蓄積までの１日分の待機時の電力を蓄える蓄電池を設けることにより、待機電源、蓄電池の電圧の検出手段等が不要な電源装置を提供することができる。
【００１４】
なお、以上の説明では、電源回路４に電力を供給又は遮断する第１のスイッチ手段３は、整流回路２の後に位置するが、本発明では主たる電源回路４以外に待機電源は必要としないため商用電源１と整流回路２の間に位置しても良く、この場合、商用電源１から供給される待機時の消費電力は０Ｗとなる。
【００１５】
なお、以上の説明では、デジタル放送受信機として説明しているが、ブラウン管、液晶ディスプレイ、プラズマディスプレイ等の表示装置を内蔵したデジタル放送受信用テレビジョン受信機、及びハード・ディスク記憶装置、ＤＶＤ（Ｄｉｇｉｔａｌ  Ｖｅｒｓａｔｉｌｅ  Ｄｉｓｋ）記録装置、ビデオ・テープ記録装置等を内蔵したデジタル放送受信用録画機であっても良い。
【産業上の利用可能性】
【００１６】
本発明のデジタル放送受信機組込用電源装置は、待機電源、蓄電池の電圧の検出手段等が不要な電源装置が得られるため、デジタル放送受信機の電源装置として有用である。
【図面の簡単な説明】
【００１７】
【図１】本発明の実施の形態１におけるデジタル放送受信機組込用電源装置の構成を示すブロック図
【図２】従来の電源装置の構成を示すブロック図
【符号の説明】
【００１８】
１    商用電源
２    整流回路
３    第１のスイッチ手段
４    電源回路
５    第２のスイッチ手段
６    蓄電池
７    デジタル放送受信回路
８    第３のスイッチ手段
９    タイマー回路
１０    待機時制御用マイクロコンピュータ
１１    リモコン受光部
１２    待機時にも動作する回路ブロック
１３    第４のスイッチ手段
【図１】
0004508148.tif 000002
【図２】
0004508148.tif 000003